【事件の表示】
　特願２００８−５２９０２７「ビデオ装置のデジタルＴＶアプリケーションを制御する２モード切り替え」拒絶査定不服審判事件〔平成１９年　３月　８日国際公開、ＷＯ２００７／０２７２９３、平成２１年　２月１２日国内公表、特表２００９−５０６７１６〕について、次のとおり審決する。
【結　論】
　本件審判の請求は、成り立たない。
【理　由】
１　経緯
　本件出願は、２００６年（平成１８年）６月２９日（パリ条約による優先権主張外国庁受理２００５年８月３１日、米国）を国際出願日とする出願であって、 平成２３年９月７日付けで拒絶理由の通知がなされ、これに対し、平成２４年３月１３日付けで手続補正がなされたが、平成２４年４月１０日付けで拒絶査定がなされたものである。
　本件は、上記拒絶査定を不服として平成２４年８月１６日付けで請求された拒絶査定不服審判であって、平成２４年８月１６日付けで手続補正（明細書、特許請求の範囲又は図面について請求と同時にする補正）がなされたものである。
　
２　補正の却下の決定
　平成２４年８月１６日付けの手続補正について次のとおり決定する。
　
〈補正の却下の決定の結論〉
　平成２４年８月１６日付けの手続補正を却下する。
　
〈補正の却下の決定の理由〉
（１）補正の内容
　平成２４年８月１６日付けの手続補正（以下、本件補正という）は、請求項２についてする次の補正事項を含むものである。
　
［補正前］（平成２４年３月１３日付けで補正された請求項２）
　デジタル・テレビジョンで用いられる方法であって、
　（ａ）ユーザからのモード信号に応答して、第１のボタンのために第１のモード及び第２のモードのうちの１つに切り替わる段階であって、前記第１のモードでは前記第１のボタンは、第１の制御機能を提供するために用いられる、段階と、
　（ｂ）前記第２のモードのときに、前記第１のボタンを照らす段階であって、前記第２のモードでは、前記第１のボタンは前記デジタル・テレビジョンに表示された所定の接続を選択する第２の制御機能を提供するために用いられ、前記第１の制御機能は前記第２の制御機能とは異なり、前記第２の制御機能が提供されたときに、前記第２のモードから前記第１のモードに切り替わる、段階と、
　を有する方法。
　
を、
　
［補正後］（請求項２）
　デジタル・テレビジョンで用いられる方法であって、
　（ａ）ユーザからのモード信号に応答して、第１、第２、第３、及び第４のボタンのために第１のモード及び第２のモードのうちの１つに切り替わる段階であって、前記第１のモードでは前記第１、第２、第３、及び第４のボタンは、それぞれ第１、第２、第３、及び第４の制御機能を提供するために用いられる、段階と、
　（ｂ）前記第２のモードのときに、前記第１、第２、第３、及び第４のボタンを照らす段階であって、前記第２のモードでは、前記第１、第２、第３、及び第４のボタンは前記デジタル・テレビジョンのディスプレイに表示された第１、第２、第３、及び第４の所定の接続をそれぞれ選択する第５，第６、第７、及び第８の制御機能を提供するために用いられ、前記第２のモードにおいて、前記第１、第２、第３、及び第４の所定の接続の一つが前記ディスプレイに表示されていない場合、前記第１、第２、第３、及び第４のボタンの対応する一つは照らされない段階と、
　を有する方法。
　
と補正する。
　
（２）補正の適法性
　上記補正事項は、ボタンの数、制御機能の数を更に特定すると共に、段階（ｂ）に関して「前記第２のモードにおいて、前記第１、第２、第３、及び第４の所定の接続の一つが前記ディスプレイに表示されていない場合、前記第１、第２、第３、及び第４のボタンの対応する一つは照らされない」ことを更に特定しているが、段階（ｂ）に関して「前記第２の制御機能が提供されたときに、前記第２のモードから前記第１のモードに切り替わる」ことが削除されている。
　補正前の「前記第２の制御機能が提供されたときに、前記第２のモードから前記第１のモードに切り替わる」ことは、第２のモードから第１のモードに切り替わる際の切替えのための制御であり、補正後の「前記第２のモードにおいて、前記第１、第２、第３、及び第４の所定の接続の一つが前記ディスプレイに表示されていない場合、前記第１、第２、第３、及び第４のボタンの対応する一つは照らされない」ことは、第２のモード自体の制御であって、第２のモードから第１のモードに切り替わる際の切替えのための制御とはいえず、段階（ｂ）に関して「前記第２の制御機能が提供されたときに、前記第２のモードから前記第１のモードに切り替わる」発明（補正前）から、「前記第２のモードにおいて、前記第１、第２、第３、及び第４の所定の接続の一つが前記ディスプレイに表示されていない場合、前記第１、第２、第３、及び第４のボタンの対応する一つは照らされない」発明（補正後）とすることは、発明の趣旨を異なるものとするというべきであって、このような上記補正事項は、発明を特定するために必要な事項を限定する補正であるとはいえない。
　したがって、上記補正事項は特許請求の範囲の減縮を目的とするものとはいえず、上記補正事項を含む本件補正は特許請求の範囲の減縮を目的とするものとはできない。また、請求項の削除、誤記の訂正、明りようでない記載の釈明を目的とするものであるとも認められない。
　よって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　よって、補正の却下の決定の結論のとおり、決定する。
　
３　本願発明
　上記のとおり、平成２４年８月１６日付けの手続補正を却下する。
　したがって、本件出願の請求項１ないし２に係る発明は、平成２４年３月１３日付けで補正された特許請求の範囲の請求項１ないし２に記載されたとおりのものであり、そのうち、請求項２に係る発明（以下、本願発明という）は、次のとおりである。
　
［本願発明］（平成２４年３月１３日付けで補正された請求項２）
　デジタル・テレビジョンで用いられる方法であって、
　（ａ）ユーザからのモード信号に応答して、第１のボタンのために第１のモード及び第２のモードのうちの１つに切り替わる段階であって、前記第１のモードでは前記第１のボタンは、第１の制御機能を提供するために用いられる、段階と、
　（ｂ）前記第２のモードのときに、前記第１のボタンを照らす段階であって、前記第２のモードでは、前記第１のボタンは前記デジタル・テレビジョンに表示された所定の接続を選択する第２の制御機能を提供するために用いられ、前記第１の制御機能は前記第２の制御機能とは異なり、前記第２の制御機能が提供されたときに、前記第２のモードから前記第１のモードに切り替わる、段階と、
　を有する方法。
　
４　刊行物
　査定の理由で提示した刊行物（特開２００１−３５９１７９号公報）には、図面と共に次の記載がある。なお、（○１）などの表記は、○の中に数字１などがある記号を示す。情報処理装置の文字処理能力の事情によりこのように表記する。
　
（刊行物の記載）
記載Ａ
「【０００１】
【発明の属する技術分野】この発明は、例えばデジタル番組を受信可能なテレビジョン受信機と、その操作を行うためのリモートコントロール（以下リモコンと略する）装置との関係において、ユーザがリモコン操作を容易に間違いなく行えるようにした選択項目と操作部との対応をとるリモコン装置に関する。
【０００２】
【従来の技術】被制御機器とリモコン送信機との関係を示した公知文献として、特開平１１−３４１５７３号公報がある。この公知文献では、被制御機器と、リモコン送信機との間で情報の授受を行う技術が示されている。その情報の内容は、被制御機器の現在の動作状態に基づいてキーの有効／無効情報を生成して、リモコン送信機に送信する。このために、リモコン送信機では、現在有効なキーが判明するから、この有効キーが操作されたときのみその制御信号を被制御機器へ送信する。この制御信号を受けると被制御機器は、リモコン送信機へ応答信号を送信する。これにより、リモコン送信機は、送信した制御信号が、被制御機器に確実に着信したことを確認することができ、送信を停止し、消費電力の消耗を抑圧できるというものである。
【０００３】
【発明が解決しようとする課題】上記のように被制御機器とリモコン送信機の間において情報の送受信技術はある。しかしながら、現在の電子機器の分野では多数の種類の異なる機器が普及しており、しかも各電子機器が多機能化している。このためにリモコン装置にあっても、操作が複雑になるとともに、多くの操作ボタンが設けられるようになった。この結果、ユーザにとってはリモコン装置の操作ボタンの操作が複雑、煩雑であり、リモコン装置の使い勝手が悪くなりつつある。
【０００４】そこでこの発明は、リモコン装置の使い勝手を向上し、ユーザがリモコン操作を容易に、間違いなく行えるようにした選択項目と操作部との対応をとるリモコン装置を提供することを目的とする。」
　
記載Ｂ
「【０００７】
【発明の実施の形態】以下この発明の実施の形態を図面を参照して説明する。
【０００８】図１はこの発明の一実施の形態に係る表示装置（例えばデジタルテレビジョン受信機）である。
【０００９】被制御機器１００は、例えばデジタルテレビジョン受信機であり、ディスプレイ部分は省略されている。また２００はこの被制御機器１００を制御するためのリモコン装置である。
【００１０】受信信号は、入力端子１１から映像入力処理部１２に導入される。映像入力処理部１２は、テレビジョン信号の受信周波数決定、チャンネル選択、復調処理部、各種映像信号調整部を含むがここではまとめて示している。映像入力部１２からは復調された、電子番組情報信号や映像信号（ベースバンド信号）が出力される。映像信号は、メモリインターフェース部１３を介して、信号加工処理部１５に入力される。またメモリインターフェース部１３には、メモリ１４が接続されており、複数のチャンネルの映像信号の縮小処理を行う場合に利用される。
【００１１】信号加工処理部１５には、ウインドウ処理部１６、信号処理部１７が含まれており、ディスプレイの画面に表示するための多画面を生成する場合や、当該多画面にオリジナル画面（例えば項目としても番組名、チャンネル番号、縮小画像などがある）を多重する場合に利用される。通常の動作状態、つまり１つの主画面を表示する場合には、信号加工処理部１５では、特別な処理は行われず、１つの画面を形成する映像信号が信号処理部１７から出力される。
【００１２】映像入力処理部１２から出力された電子番組情報（デジタル放送テレビジョン方式においては、放送されている番組情報をデータとして伝送している）は、番組情報処理部１８に導かれ、蓄積され、ここでは、現在放送されている番組のチャンネル（番組）と時間帯を示すテーブルが形成される。
【００１３】中央処理装置（ＣＰＵ）２０は、テレビジョン受信機２０全体の動作モードを制御するものである。このＣＰＵ２０は、ＣＰＵインターフェース１９を介して各機能ブロックに接続されている。
【００１４】リモコン受信部２２は、リモコン装置１００から例えば赤外線を媒体として伝送されてくる制御情報を受信する。この受信信号は、リモコン情報解析及びチャンネル割付部２３、ＣＰＵ／ＩＦ部１９を介してＣＰＵ２０へ転送される。するとＣＰＵ２０は、その転送された内容に基づき、被制御機器１００の動作状態を制御する。電源のオンオフ、チャンネルの選択、受信番組の選択、音量調整、画質調整、表示画面選択などの機能である。
【００１５】リモコン受信部２２から受信信号を受けるリモコン情報解析及びチャンネル割付部２３は、リモコン装置２００から送られてきた制御情報を解析するとともに、受信チャンネルの割付情報も発生する。このチャンネル割付情報は、後で詳しく説明するがリモコンにより選択すべきチャンネル（あるいは番組）のメニュー画面を表示するときに利用する情報である。チャンネル割付情報は、ＣＰＵＩ／Ｆ部１９を介してＣＰＵ２０により解読され、これに基づき、ＣＰＵ２０は、ウインドウ処理部１６を制御し、ディスプレイの画面上の表示形態を制御する。この機能については、後で詳しく説明する。
【００１６】さらにこのシステムでは、番組情報処理部１８の情報を用いて、現在どのような番組が放送されているかを認識することができる。さらにＣＰＵ２０の制御情報にもとづいて、現在どのようなチャンネル（番組）がディスプレイに表示されているかを認識することができる。
【００１７】そこで、このシステムでは、現在どのようなチャンネル（番組）を表示中であり、また、その表示状態がどのような配置（ディスプレイ上の配置）になっているかを、リモコン送信部２１を介してリモコン装置２００へ伝送することができる。」
　
記載Ｃ
「【００１８】一方、リモコン装置２００においては、送られてきた情報を、入力端子４１を介して受信部４２が取り込み、さらにＣＰＵＩ／Ｆ部４４を介してＣＰＵ４５が取り込む。ＣＰＵ４５は、受信情報からディスプレイ上の複数画面（複数項目と解してもよい）の配置状態を認識し、この配置に対応するように、リモコン装置２００のキーの位置を決定し、キー位置情報を生成する。このキー位置情報は、リモコンキー状態処理部４６に与えられる。するとリモコンキー状態処理部４６は、リモコンのキー４７のうち、先の複数画面配置に対応するキーを決定し、そのキーの位置を点灯またはキーを突出させる。
【００１９】リモコン装置２００から被制御機器１００へ制御信号を送信する場合には、リモコンキー４７のうち所望のキーが選択操作される。すると、そのキー選択情報は、ＣＰＵＩ／Ｆ部４４を通じてＣＰＵ４５に取り込まれ、送信情報として送信部４３を通じて被制御機器１００側へ送信される。」
　
記載Ｄ
「【００２０】図２（Ａ）、（Ｂ）には、例えば、メニュー画面表示モードになったときに、被制御機器１００からリモコン装置２００へその受信チャンネル情報（或いは複数画面位置情報）が送られたときの動作例を示している。例えば、メニュー画面要求がリモコン装置から送信されると、被制御機器１００では、現在受信しているチャンネル（番組）の他に例えば後続する５つのチャンネル（番組）を次々と選択し（例えばチャンネル（番組）の昇順に選択する）、各チャンネルの画像を縮小処理して、例えば図４（ａ）の如くウインドウ表示する（ステップＡ１，Ａ２，Ａ３、図２（Ａ），図２（Ｂ）共通）。ここで、例えば現在受信しているチャンネル（番組）が例えば図４（ａ）の（○１）で示すようにニュースであり、他のチャンネル（番組）が（○２）で示すように天気予報、（○３）で示すように音楽、（○４）で示すようにメール、（○５）で示すようにインターネット、（○６）で示すようにショッピングの内容であれば、チャンネル割付情報、あるいは、番組情報処理部１８の番組情報を利用して、各チャンネル（番組）の情報（図２（Ａ））（或いは表示位置情報（図２（Ｂ））をリモコン送信部２１を介して、リモコン装置２００へ伝送する（ステップＡ４，ステップＡ４−１）。するとリモコン装置２００では、受信したチャンネル情報（或いは複数画面位置情報）を解読し（ステップＡ５、ステップＡ５−１）、リモコンキーの状態を変更する。
【００２１】リモコン装置２００においては、例えば図４（ｂ）に示すように、先の複数画面位置に対応するキー（この場合は、１乃至６）を例えば突出させる。あるいは、キーの１乃至６を点灯させる。
【００２２】このよなリモコンキーの動作状態においては、ユーザは、（○１）、（○２）、（○３）、（○４）、（○５）、（○６）のチャンネル（番組）が具体的に何チャンネルあるいは何番目の番組であるかを知らなくても、視聴を希望する番組と、リモコンキーを対応させることができる。この結果、ユーザは、（○２）の付されたチャンネル（番組）の視聴を希望する場合には、対応するキー２を操作すればよく、操作が極めて楽になり、チャンネル（番組）選択の誤り操作をすることがない。
【００２３】ここで例えば、画面上で符号（○１）ないし（○６）が付された番組に希望の番組がない場合には、サーチキー２０１を押すと、例えば１チャンネル（１番組）ずつ表示位置をシフトさせることができ、（○６）の位置に新たに受信したチャンネル（番組）の名称あるいは画面が表示される。
【００２４】図５（ａ）には、サーチキー２０１を押した結果、新たに野球の放送チャンネル（番組）の画像が（○６）の位置に取り込まれた様子を示している。他のチャンネル（番組）の画像は、それぞれ繰り上がりシフトした位置に表示されている。図５（ｂ）、図５（ｃ）には、さらにサーチキー２０１を押した場合のディスプレイ上の画面の様子が示されている。このようにサーチキーを操作して、次々とどのような番組が放送されているかを、ディスプレイ上で見ることができる。
【００２５】この複数の各画面内に表示する内容としては、当該画面を放送しているチャンネル（あるいは番組）から取り出した１画像を表示してもよい。さらには、デジタル放送においては、電子番組情報が送られてきているので、この電子番組情報の中から、その番組名を取り出して、表示させてもよい。
【００２６】図３（Ａ）は、同じくメニュー画面表示モードになったときに、被制御機器１００からリモコン装置２００へその受信チャンネル情報（或いは複数画面位置情報）が送られたときの動作例を示している。図３（Ａ）の例は、図４（ａ）に示すようなウインドウ表示が行われたとき、各ウインドウ（表示画面）を伝送している番組情報が、被制御機器１００からリモコン装置２００へ伝送された例を示している（（ステップＢ１，Ｂ２，Ｂ３，Ｂ４）。リモコン装置２００では、伝送されてきた番組情報を解析し、例えば図４（ａ）のような表示が行われていれば、図４（ｂ）に示すように、表示位置に対応したリモコンキーを発光状態とする（ステップＢ５，Ｂ６）。この例は、デジタル放送を受信している場合に有効である。
【００２７】図３（Ｂ）の例は、現行のアナログ放送を受信した場合に有効な方法である。メニュー画面表示モードになったときに、被制御機器１００からリモコン装置２００へその受信チャンネル情報（選局可否情報）が送られたときの動作例を示している（ステップＣ１，Ｃ２，Ｃ３，Ｃ４）。リモコン装置では選局可能なチャンネルを識別し、その対応するチャンネル選択用のリモコンキーを例えば突出或いは点灯させる。この場合、選局可能なリモコンキーのみを点灯させてもよいが、例えば図４（ｂ）に示したように、縮小画面に対応する位置のキーを点灯させたほうがユーザにとっては操作しやすいことになる。」
　
記載Ｅ
「【００３８】
【発明の効果】以上説明したようにこの発明によれば、リモコン装置の使い勝手を向上し、ユーザがリモコン操作を容易に、間違いなく行えるように画面上の項目表示状態と操作部との対応をとることができる。」
（刊行物の記載、以上）
　
　以上の記載によると、
（デジタルテレビジョン）
　記載Ｂ「表示装置（例えばデジタルテレビジョン受信器）」（【０００８】）、「被制御機器１００は、例えばデジタルテレビジョン受信機であり、ディスプレイ部分は省略されている。また２００はこの被制御機器１００を制御するためのリモコン装置である。」（【０００９】）から、刊行物には「デジタルテレビジョン受信器」に関する技術が記載されていると認められ、この「デジタルテレビジョン受信器」は、これを制御するための「リモコン装置２００」を有するものであり、【００１４】によると、リモコン装置から伝送されてくる制御情報を受信し、電源のオンオフ、チャンネルの選択、受信番組の選択、音量調整、画質調整、表示画面選択などの機能を制御するものである。
　
（通常の状態）
　記載Ｂから、刊行物記載の「デジタルテレビジョン受信器」は、「通常の動作状態、つまり１つの主画面を表示する場合には、信号加工処理部１５では、特別な処理は行われず、１つの画面を形成する映像信号が信号処理部１７から出力される。」（【００１１】）
　
（リモコン）
　記載Ｃから、「リモコン装置２００」は、
　「受信情報からディスプレイ上の複数画面（複数項目と解してもよい）の配置状態を認識し、この配置に対応するように、リモコン装置２００のキーの位置を決定し、キー位置情報を生成する。このキー位置情報は、リモコンキー状態処理部４６に与えられる。するとリモコンキー状態処理部４６は、リモコンのキー４７のうち、先の複数画面配置に対応するキーを決定し、そのキーの位置を点灯またはキーを突出させる。」（【００１８】）
　「リモコン装置２００から被制御機器１００へ制御信号を送信する場合には、リモコンキー４７のうち所望のキーが選択操作される。すると、そのキー選択情報は、ＣＰＵＩ／Ｆ部４４を通じてＣＰＵ４５に取り込まれ、送信情報として送信部４３を通じて被制御機器１００側へ送信される。」（【００１９】）
　
（メニュー画面表示モード）
　記載Ｄから、刊行物記載の「デジタルテレビジョン受信器」は、「メニュー画面表示モード」を有し、「メニュー画面表示モード」は、
　「メニュー画面要求がリモコン装置から送信されると、被制御機器１００では、現在受信しているチャンネル（番組）の他に例えば後続する５つのチャンネル（番組）を次々と選択し（例えばチャンネル（番組）の昇順に選択する）、各チャンネルの画像を縮小処理して、例えば図４（ａ）の如くウインドウ表示する」（【００２０】）、
　「この複数の各画面内に表示する内容としては、当該画面を放送しているチャンネル（あるいは番組）から取り出した１画像を表示してもよい。さらには、デジタル放送においては、電子番組情報が送られてきているので、この電子番組情報の中から、その番組名を取り出して、表示させてもよい。」（【００２５】）
　記載Ｄから、「メニュー画面表示モード」において、「リモコン装置２００」は、
　「図４（ｂ）に示すように、先の複数画面位置に対応するキー（この場合は、１乃至６）を例えば突出させる。あるいは、キーの１乃至６を点灯させる。」（【００２１】）、
　「このよなリモコンキーの動作状態においては、ユーザは、（○１）、（○２）、（○３）、（○４）、（○５）、（○６）のチャンネル（番組）が具体的に何チャンネルあるいは何番目の番組であるかを知らなくても、視聴を希望する番組と、リモコンキーを対応させることができる。この結果、ユーザは、（○２）の付されたチャンネル（番組）の視聴を希望する場合には、対応するキー２を操作すればよく、操作が極めて楽になり、チャンネル（番組）選択の誤り操作をすることがない。」（【００２２】）
　
　このように、刊行物には「デジタルテレビジョン受信器」の「メニュー画面表示モード」について記載されており、この「メニュー画面表示モード」での動作手順は方法の発明として捉えることができる。この方法の発明を刊行物発明として次のとおり認定する。
　
［刊行物発明］
　「デジタルテレビジョン受信器」における方法であって、
　「デジタルテレビジョン受信器」は「リモコン装置２００」を有し、リモコン装置から伝送されてくる制御情報を受信し、電源のオンオフ、チャンネルの選択、受信番組の選択、音量調整、画質調整、表示画面選択などの機能を制御し、
　「通常の動作状態、つまり１つの主画面を表示する場合には、信号加工処理部１５では、特別な処理は行われず、１つの画面を形成する映像信号が信号処理部１７から出力され」、
　
　「リモコン装置２００」は、
　「受信情報からディスプレイ上の複数画面（複数項目と解してもよい）の配置状態を認識し、この配置に対応するように、リモコン装置２００のキーの位置を決定し、キー位置情報を生成」し、「このキー位置情報は、リモコンキー状態処理部４６に与えられ」、「リモコンキー状態処理部４６は、リモコンのキー４７のうち、先の複数画面配置に対応するキーを決定し、そのキーの位置を点灯またはキーを突出させ」、
　「リモコン装置２００から被制御機器１００へ制御信号を送信する場合には、リモコンキー４７のうち所望のキーが選択操作され」、「そのキー選択情報は、ＣＰＵＩ／Ｆ部４４を通じてＣＰＵ４５に取り込まれ、送信情報として送信部４３を通じて被制御機器１００側へ送信され」、
　
　「デジタルテレビジョン受信器」は「メニュー画面表示モード」を有し、
　「メニュー画面表示モード」は、
　「メニュー画面要求がリモコン装置から送信されると、被制御機器１００では、現在受信しているチャンネル（番組）の他に例えば後続する５つのチャンネル（番組）を次々と選択し（例えばチャンネル（番組）の昇順に選択する）、各チャンネルの画像を縮小処理して、例えば図４（ａ）の如くウインドウ表示」し、
　「この複数の各画面内に表示する内容としては、当該画面を放送しているチャンネル（あるいは番組）から取り出した１画像を表示してもよ」く、「デジタル放送においては、電子番組情報が送られてきているので、この電子番組情報の中から、その番組名を取り出して、表示させてもよ」く、
　「メニュー画面表示モード」において、「リモコン装置２００」は、
　「図４（ｂ）に示すように、先の複数画面位置に対応するキー（この場合は、１乃至６）を例えば突出させ」、「あるいは、キーの１乃至６を点灯させ」、
　「このよなリモコンキーの動作状態においては、ユーザは、（○１）、（○２）、（○３）、（○４）、（○５）、（○６）のチャンネル（番組）が具体的に何チャンネルあるいは何番目の番組であるかを知らなくても、視聴を希望する番組と、リモコンキーを対応させることができ」、「この結果、ユーザは、（○２）の付されたチャンネル（番組）の視聴を希望する場合には、対応するキー２を操作すればよく、操作が極めて楽になり、チャンネル（番組）選択の誤り操作をすることがない」
　方法。
　
５　対比
　本願発明と刊行物発明とを対比する。
　
（１）「デジタル・テレビジョンで用いられる方法」
　
　刊行物発明は、「「デジタルテレビジョン受信器」における方法」であり、デジタルテレビジョン受信器で用いられるといえるから、「デジタル・テレビジョンで用いられる方法」といいうるものであり、この点で本願発明と刊行物発明とは一致する。
　
（２）「（ａ）ユーザからのモード信号に応答して、第１のボタンのために第１のモード及び第２のモードのうちの１つに切り替わる段階であって、前記第１のモードでは前記第１のボタンは、第１の制御機能を提供するために用いられる、段階」
　
　刊行物発明には、動作状態として「通常の動作状態」と「メニュー画面表示モード」とが認められ、これら２つの動作状態は動作のモードといいうる。そして、２つの動作モードがあるから、それぞれ第１のモード、第２のモードといいうる。
　刊行物発明の「メニュー画面表示モード」は、「メニュー画面要求がリモコン装置から送信されると」「図４（ａ）の如くウインドウ表示」することになるのであり、
　この「メニュー画面要求がリモコン装置から送信される」のは、リモコンがユーザの操作によって動作されると認められ、
　また、
　送信される「メニュー画面要求」は「メニュー画面表示モード」とする要求であるから「ユーザからのモード信号」といいうる。
　そして、「メニュー画面要求がリモコン装置から送信されると」「図４（ａ）の如くウインドウ表示」することになるから、「ユーザからのモード信号」に応答して「メニュー画面表示モード」になるといえ、
　ここで「メニュー画面表示モード」になることは、「メニュー画面表示モード」になる前の通常の動作状態から「メニュー画面表示モード」に切り替わるといえる。
　
　「メニュー画面表示モード」において、「リモコン装置２００」は、「図４（ｂ）に示すように、先の複数画面位置に対応するキー（この場合は、１乃至６）を例えば突出させ」、「あるいは、キーの１乃至６を点灯させ」ている。この「リモコン装置２００」の「キーの１乃至６」は、ボタンといえるものであって、それぞれ他のキーに対して第１のボタンといいうる。
　「リモコン装置２００」は、「受信情報からディスプレイ上の複数画面（複数項目と解してもよい）の配置状態を認識し、この配置に対応するように、リモコン装置２００のキーの位置を決定し、キー位置情報を生成」し、「このキー位置情報は、リモコンキー状態処理部４６に与えられ」、「リモコンキー状態処理部４６は、リモコンのキー４７のうち、先の複数画面配置に対応するキーを決定し、そのキーの位置を点灯またはキーを突出させ」るから、「リモコン装置２００」の「キーの１乃至６」は「メニュー画面表示モード」になると「点灯」することとなる。
　そして、「このよなリモコンキーの動作状態においては、ユーザは、（○１）、（○２）、（○３）、（○４）、（○５）、（○６）のチャンネル（番組）が具体的に何チャンネルあるいは何番目の番組であるかを知らなくても、視聴を希望する番組と、リモコンキーを対応させることができ」、「この結果、ユーザは、（○２）の付されたチャンネル（番組）の視聴を希望する場合には、対応するキー２を操作すればよく、操作が極めて楽になり、チャンネル（番組）選択の誤り操作をすることがない」から、「メニュー画面表示モード」に切り替わることで「キーの１乃至６」は対応する複数画面位置を選択する機能を有することとなる。
　そうであるから、「キーの１乃至６」からみて、「メニュー画面表示モード」に切り替わることは、「キーの１乃至６」のために「メニュー画面表示モード」に切り替わるといえる。
　
　これらから、刊行物発明は、「ユーザからのモード信号に応答して、第１のボタンのために第２のモードに切り替わる段階」を有するということができる。
　また、「第２のモード」といえる「メニュー画面表示モード」は、もう一つのモードであって「第１のモード」といえる「通常の動作状態」と２つのモードの内の一つであるから、「メニュー画面表示モード」に切り替わることは「第１のモード及び第２のモードのうちの１つに」切り替わるということができる。
　したがって、刊行物発明は「ユーザからのモード信号に応答して、第１のボタンのために第１のモード及び第２のモードのうちの１つに切り替わる段階」を有するといえる。
　
　しかしながら、刊行物発明で「第１のモード」といえる「通常の動作状態」において、「第２のモード」といえる「メニュー画面表示モード」で点灯した「キーの１乃至６」がどのような機能を有するか不明である。本願発明は「前記第１のモードでは前記第１のボタンは、第１の制御機能を提供するために用いられる」のであるところ、刊行物発明は「第１のモード」といえる「通常の動作状態」で「キーの１乃至６」がどのような機能を有するか不明であるから、刊行物発明が「前記第１のモードでは前記第１のボタンは、第１の制御機能を提供するために用いられる」ものであるか不明であり、同時に、「ユーザからのモード信号に応答して、第１のボタンのために第１のモード及び第２のモードのうちの１つに切り替わる段階」において、第１のモードに切り替わることが「第１のボタンのために」切り替わるものであるか不明である。
　したがって、本願発明では「前記第１のモードでは前記第１のボタンは、第１の制御機能を提供するために用いられる」のであり、「ユーザからのモード信号に応答して、第１のボタンのために第１のモード及び第２のモードのうちの１つに切り替わる段階」で、第１のモードに切り替わることが「第１のボタンのために」切り替わるものであることに対して、
　刊行物発明では、「前記第１のモードでは前記第１のボタンは、第１の制御機能を提供するために用いられる」ものであるか不明であり、同時に、「ユーザからのモード信号に応答して、第１のボタンのために第１のモード及び第２のモードのうちの１つに切り替わる段階」において、第１のモードに切り替わることが「第１のボタンのために」切り替わるものであるか不明である点で相違する。
　
（３）「（ｂ）前記第２のモードのときに、前記第１のボタンを照らす段階であって、前記第２のモードでは、前記第１のボタンは前記デジタル・テレビジョンに表示された所定の接続を選択する第２の制御機能を提供するために用いられ、前記第１の制御機能は前記第２の制御機能とは異なり、前記第２の制御機能が提供されたときに、前記第２のモードから前記第１のモードに切り替わる、段階」
　
　刊行物発明は「メニュー画面表示モード」で「キーの１乃至６を点灯させ」ており、「前記第２のモードのときに、前記第１のボタンを照らす段階」を有するといえる。
　
　刊行物発明は「メニュー画面表示モード」で「このよなリモコンキーの動作状態においては、ユーザは、（○１）、（○２）、（○３）、（○４）、（○５）、（○６）のチャンネル（番組）が具体的に何チャンネルあるいは何番目の番組であるかを知らなくても、視聴を希望する番組と、リモコンキーを対応させることができ」、「この結果、ユーザは、（○２）の付されたチャンネル（番組）の視聴を希望する場合には、対応するキー２を操作すればよく、操作が極めて楽になり、チャンネル（番組）選択の誤り操作をすることがない」から、「キーの１乃至６」は対応する複数画面位置を選択する機能を有することとなり、選択の結果、表示された複数画面位置に対応するチャンネル選択がなされ、その結果、そのチャンネルの番組が表示されるものと認められる。
　本願発明の「前記デジタル・テレビジョンに表示された所定の接続」は、実施例で「各色アイコンは所定の接続を呼び出し得る。」【００１４】と説明される「各色アイコン」が「呼び出」する、すなわち、アイコンが選択された時に結果として働くアイコンの動作機能を含むものと認められるところ、刊行物発明で「表示された複数画面位置に対応するチャンネル選択がなされ、その結果、そのチャンネルの番組が表示される」機能は、それが複数画面位置に対応する機能であるから、本願発明の「前記デジタル・テレビジョンに表示された所定の接続」といい得るものである。
　また、「キーの１乃至６」が表示された複数画面位置を選択する機能は、「メニュー画面表示モード」において複数画面位置を選択するという「制御機能」ということができる。
　したがって、「メニュー画面表示モード」において、「キーの１乃至６」は、「前記デジタル・テレビジョンに表示された所定の接続を選択する制御機能を提供するために用いられ」るものであるということができ、刊行物発明は、「前記第２のモードでは、前記第１のボタンは前記デジタル・テレビジョンに表示された所定の接続を選択する制御機能を提供するために用いられ」ということができる。
　しかしながら、本願発明において「前記デジタル・テレビジョンに表示された所定の接続を選択する制御機能」は「第２の」制御機能とされており、この「第２の」というのは、「第１の制御機能」に対して「第２の」というものと認められる。この本願発明の「第１の制御機能」というのは上記（２）で述べた本願発明と刊行物発明との相違に係る、本願発明で「前記第１のモードでは前記第１のボタンは、第１の制御機能を提供するために用いられる」とする第１のモードで第１のボタンが用いられることによって提供される「第１の制御機能」である。刊行物発明では、「前記第１のモードでは前記第１のボタンは、第１の制御機能を提供するために用いられる」ものであるか不明であり、同時に、「ユーザからのモード信号に応答して、第１のボタンのために第１のモード及び第２のモードのうちの１つに切り替わる段階」において、第１のモードに切り替わることが「第１のボタンのために」切り替わるものであるか不明であって、刊行物発明に第１のモードで第１のボタンが用いられることによって提供される「第１の機能」が認められないから、刊行物発明は「前記デジタル・テレビジョンに表示された所定の接続を選択する制御機能」を「第２の」ということができない。同時に、刊行物発明は「前記第１の制御機能は前記第２の制御機能とは異なり」ということはできず、また、提供されたときにモードが切り替わる制御機能を「第２の」ということができない。
　
　刊行物発明では、「キーの１乃至６」は対応する複数画面位置を選択する機能を有することとなり、選択の結果、表示された複数画面位置に対応するチャンネル選択がなされ、その結果、そのチャンネルの番組が表示されるものと認められるところ、そのような選択がなされた時、すなわち、「前記デジタル・テレビジョンに表示された所定の接続を選択する制御機能」が「提供され、結果としてそのチャンネルの番組が表示されるとき、「メニュー画面表示モード」がどのようになるか不明である。
　したがって、刊行物発明は、「前記（第２の）制御機能が提供されたときに、前記第２のモードから前記第１のモードに切り替わる」かどうか不明である。
　
（４）相違点の整理
　以上のとおり対比されるところ、相違点を整理すると、
　
　本願発明が「前記第１のモードでは前記第１のボタンは、第１の制御機能を提供するために用いられる」ことに対して、刊行物発明では、「前記第１のモードでは前記第１のボタンは、第１の制御機能を提供するために用いられる」ものであるか不明であって、第１の制御機能が認められないことに基づいて、
　本願発明では、「ユーザからのモード信号に応答して、第１のボタンのために第１のモード及び第２のモードのうちの１つに切り替わる段階」において、第１のモードに切り替わることが「第１のボタンのために」切り替わるものであることに対して、刊行物発明では、そうでなく、
　本願発明では、「前記デジタル・テレビジョンに表示された所定の接続を選択する制御機能」が「第２の」制御機能とされ、「前記第１の制御機能は前記第２の制御機能とは異なり」とされ、また、提供されたときにモードが切り替わる制御機能が「第２の」制御機能とされることに対して、刊行物発明では、そうでない点で相違するといえる。
　
　また、モードの切り替えに関して、本願発明では、「前記（第２の）制御機能が提供されたときに、前記第２のモードから前記第１のモードに切り替わる」ことに対して、刊行物発明ではそうでない点で相違するといえる。
　
（５）　一致点相違点
　以上のとおり対比されるから、本願発明と刊行物発明との一致点、相違点は次のとおりである。
　
［一致点］
　デジタル・テレビジョンで用いられる方法であって、
　（ａ）ユーザからのモード信号に応答して、第１のボタンのために第１のモード及び第２のモードのうちの１つに切り替わる、段階と、
　（ｂ）前記第２のモードのときに、前記第１のボタンを照らす段階であって、前記第２のモードでは、前記第１のボタンは前記デジタル・テレビジョンに表示された所定の接続を選択する制御機能を提供するために用いられる段階と、
　を有する方法。
　
［相違点］
（相違点１）
　本願発明が「前記第１のモードでは前記第１のボタンは、第１の制御機能を提供するために用いられる」ことに対して、刊行物発明では、「前記第１のモードでは前記第１のボタンは、第１の制御機能を提供するために用いられる」ものであるか不明であって、第１の制御機能が認められないことに基づいて、
　本願発明では、「ユーザからのモード信号に応答して、第１のボタンのために第１のモード及び第２のモードのうちの１つに切り替わる段階」において、第１のモードに切り替わることが「第１のボタンのために」切り替わるものであることに対して、刊行物発明では、そうでなく、
　本願発明では、「前記デジタル・テレビジョンに表示された所定の接続を選択する制御機能」が「第２の」制御機能とされ、「前記第１の制御機能は前記第２の制御機能とは異なり」とされ、また、提供されたときにモードが切り替わる制御機能が「第２の」制御機能とされることに対して、刊行物発明では、そうでない点。
　
（相違点２）
　モードの切り替えに関して、本願発明では、「前記（第２の）制御機能が提供されたときに、前記第２のモードから前記第１のモードに切り替わる」ことに対して、刊行物発明ではそうでない点。
　
６　判断
（１）相違点１について
　刊行物発明において、本願発明の「第１のモード」といえる「通常の動作状態」は、「通常の動作状態、つまり１つの主画面を表示する場合には、信号加工処理部１５では、特別な処理は行われず、１つの画面を形成する映像信号が信号処理部１７から出力され」るものであり、テレビジョンの通常の画面として、画面全体に番組を表示する状態が普通に想起される。そして、そのようにテレビジョンとして番組を普通に視聴している時、リモコンの数字キーを押すことでチャンネルを変更することが普通に行われており、刊行物発明の「通常の動作状態」において、リモコンの数字キーにチャンネル変更機能を与えること、すなわち、刊行物発明のリモコン装置の数字を振られたキー１ないし６に対して、「通常の動作状態」において、チャンネル変更機能を与えることは、当業者が容易に想到できることといえ、そうすることで、刊行物発明を「前記第１のモードでは前記第１のボタンは、第１の制御機能を提供するために用いられる」ものとすることは、当業者が容易に想到できることである。
　それに伴い、刊行物発明を
　「ユーザからのモード信号に応答して、第１のボタンのために第１のモード及び第２のモードのうちの１つに切り替わる段階」において、第１のモードに切り替わることが「第１のボタンのために」切り替わるものであることとし、
　「前記デジタル・テレビジョンに表示された所定の接続を選択する制御機能」を「第２の」制御機能とし、
　　チャンネル変更機能は、複数画面位置を選択する機能ではないから、「前記第１の制御機能は前記第２の制御機能とは異なり」とし、
　提供されたときにモードが切り替わる制御機能を「第２の」制御機能とすることで、
　相違点１に係る、本願発明の構成とすることは、当業者が容易に想到できることといえる。
　
（２）相違点２について
　刊行物発明において、「メニュー画面表示モード」で「キーの１乃至６」を操作すると、対応する複数画面位置が選択され、選択の結果、表示された複数画面位置に対応するチャンネル選択がなされ、その結果、そのチャンネルの番組が表示されることとなり、ユーザは、希望するチャンネル（番組）の視聴をすることができる。
　「メニュー画面表示モード」は複数画面位置が表示（図４（ａ））され、この状態で希望するチャンネル（番組）の視聴が通常になされるとは考えられないから、希望するチャンネル（番組）の視聴は、「通常の動作状態」で、「１つの主画面を表示する場合には、信号加工処理部１５では、特別な処理は行われず、１つの画面を形成する映像信号が信号処理部１７から出力され」る状態で視聴するようにしようと考えるのは自然であり、「メニュー画面表示モード」で「キーの１乃至６」が操作され、すなわち、「前記（第２の）制御機能が提供されたときに」、「メニュー画面表示モード」から「通常の動作状態」に切り替わるようにして希望するチャンネル（番組）の視聴を行おうとすることは、当業者が自然と想到することといえる。そのようにすることで、刊行物発明を「前記（第２の）制御機能が提供されたときに、前記第２のモードから前記第１のモードに切り替わる」ようにして、本願発明の相違点２に係る構成とすることは、当業者が容易に想到できることといえる。
　
（３）総合
　以上のとおり、本願発明の相違点１、相違点２に係る構成はいずれも当業者が容易に想到できるといえ、本願発明の構成は当業者が容易に想到できるものといえる。そして、そのような構成において、本願発明の効果は予測されるものといえる。
　したがって、本願発明は刊行物に記載された発明に基づいて、当業者が容易に発明をすることができたものと認められる。
　
７　むすび
　以上のとおり、本件出願の請求項２に係る発明は、刊行物（特開２００１−３５９１７９号公報）に記載された発明に基づいて、当業者が容易に発明をすることができたものであるから、特許法第２９条第２項の規定により特許を受けることができない。
　したがって、本件出願は、残る請求項１に係る発明について特に検討するまでもなく拒絶されるべきものである。
　よって、結論のとおり審決する。